【手続補正書】
【提出日】平成18年7月4日(2006.7.4)
【手続補正１】
【補正対象書類名】明細書
【補正対象項目名】発明の名称
【補正方法】変更
【補正の内容】
【発明の名称】ゲートウェイ装置及びその制御方法
【手続補正２】
【補正対象書類名】明細書
【補正対象項目名】特許請求の範囲
【補正方法】変更
【補正の内容】
【特許請求の範囲】
【請求項１】
パケット網及び電話網に接続され、前記パケット網上の相手端末装置と前記電話網上のファクシミリ装置との間のリアルタイムファクシミリ通信を可能とするゲートウェイ装置であって、
着信側の前記ファクシミリ装置から前記電話網を介して受信したファクシミリ制御信号内の通信速度能力に相当する必要ネットワーク帯域が、前記パケット網内のルータにより確保された確保ネットワーク帯域より広い場合には、前記ファクシミリ制御信号内の通信速度能力を、前記確保ネットワーク帯域に相当する通信速度以下に書き換えた上でパケット化して前記パケット網上の相手端末装置に送信する通信速度／ネットワーク帯域調節手段を備えることを特徴とするゲートウェイ装置。
【請求項２】
パケット網及び電話網に接続され、前記パケット網上の相手端末装置と前記電話網上のファクシミリ装置との間のリアルタイムファクシミリ通信を可能とするゲートウェイ装置であって、
着信側の前記相手端末装置から前記パケット網を介して受信したファクシミリ制御信号内の通信速度能力に相当する必要ネットワーク帯域が、前記パケット網内のルータにより確保された確保ネットワーク帯域より広い場合には、前記ファクシミリ制御信号内の通信速度能力を、前記確保ネットワーク帯域に相当する通信速度以下に書き換えた上でモデム信号化して前記電話網上の発信側の前記ファクシミリ装置に送信する通信速度／ネットワーク帯域調節手段を備えることを特徴とするゲートウェイ装置。
【請求項３】
パケット網及び電話網に接続され、前記パケット網上の相手端末装置と前記電話網上のファクシミリ装置との間のリアルタイムファクシミリ通信を可能とするゲートウェイ装置であって、
発信側の前記相手端末装置から前記パケット網を介して受信したファクシミリ制御信号内の設定通信速度に相当する必要ネットワーク帯域が、前記パケット網内のルータにより確保された確保ネットワーク帯域より広い場合には、発信側の前記相手端末装置から前記パケット網を介して受信したモデムトレーニング信号に対して、前記確保ネットワーク帯域に相当する通信速度以下になるまで、前記発信側の相手端末装置に対してダミーのトレーニング失敗信号を送信する通信速度／ネットワーク帯域調節手段を備えることを特徴とするゲートウェイ装置。
【請求項４】
パケット網及び電話網に接続され、前記パケット網上の相手端末装置と前記電話網上のファクシミリ装置との間のリアルタイムファクシミリ通信を可能とするゲートウェイ装置であって、
発信側の前記ファクシミリ装置から前記電話網を介して受信したファクシミリ制御信号内の設定通信速度に相当する必要ネットワーク帯域が、前記パケット網内のルータにより確保された確保ネットワーク帯域より広い場合には、発信側の前記ファクシミリ装置から前記電話網を介して受信した所定のモデムトレーニング信号に対して、前記確保ネットワーク帯域に相当する通信速度以下になるまで、前記発信側のファクシミリ装置に対してダミーのトレーニング失敗信号を送信する通信速度／ネットワーク帯域調節手段を備えることを特徴とするゲートウェイ装置。
【請求項５】
前記通信速度／ネットワーク帯域調節手段は、前記ルータに要求して確保する前記確保ネットワーク帯域を、前記相手端末装置と前記ファクシミリ装置との間のリアルタイムファクシミリ通信におけるファクシミリ伝送手順の各フェーズで変更することを特徴とする請求項１、２、３または４のいずれかに記載のゲートウェイ装置。
【請求項６】
前記通信速度／ネットワーク帯域調節手段は、前記パケット網上の発信側の前記相手端末装置と、前記電話網上の着信側のファクシミリ装置との間のリアルタイムネットワークファクシミリ通信を中継する場合に、前記ルータに要求して確保した前記確保ネットワーク帯域が、ファクシミリ通信に必要な所定の最低限帯域以下の場合には、前記ファクシミリ装置への前記電話網を介した発呼を行わないで通信を中止することを特徴とする請求項３に記載のゲートウェイ装置。
【請求項７】
前記通信速度／ネットワーク帯域調節手段は、前記ルータにネットワーク帯域を要求した結果、前記ルータが帯域予約機能を備えていなかった場合、予め記憶登録しておいた帯域情報を前記確保ネットワーク帯域とすることを特徴とする請求項１、２、３または４のいずれかに記載のゲートウェイ装置。
【請求項８】
パケット網及び電話網に接続され、前記パケット網上の相手端末装置と前記電話網上のファクシミリ装置との間のリアルタイムファクシミリ通信を可能とするゲートウェイ装置の制御方法であって、
発信側の前記相手端末装置から前記パケット網を介して受信したファクシミリ制御信号内の設定通信速度に相当する必要ネットワーク帯域が、前記パケット網内のルータにより確保された確保ネットワーク帯域より広い場合には、発信側の前記相手端末装置から前記パケット網を介して受信したモデムトレーニング信号に対して、前記確保ネットワーク帯域に相当する通信速度以下になるまで、前記発信側の相手端末装置に対してダミーのトレーニング失敗信号を送信する通信速度／ネットワーク帯域調節手順を含むことを特徴とするゲートウェイ装置の制御方法。
【請求項９】
前記通信速度／ネットワーク帯域調節手順は、前記ルータに要求して確保する前記確保ネットワーク帯域を、前記相手端末装置と前記ファクシミリ装置との間のリアルタイムファクシミリ通信におけるファクシミリ伝送手順の各フェーズで変更することを特徴とする請求項８に記載のゲートウェイ装置の制御方法。
【請求項１０】
前記通信速度／ネットワーク帯域調節手順は、前記パケット網上の発信側の前記相手端末装置と、前記電話網上の着信側のファクシミリ装置との間のリアルタイムネットワークファクシミリ通信を中継する場合に、前記ルータに要求して確保した前記確保ネットワーク帯域が、ファクシミリ通信に必要な所定の最低限帯域以下の場合には、前記ファクシミリ装置への前記電話網を介した発呼を行わないで通信を中止することを特徴とする請求項８に記載のゲートウェイ装置の制御方法。
【手続補正３】
【補正対象書類名】明細書
【補正対象項目名】０００１
【補正方法】変更
【補正の内容】
【０００１】
【発明の属する技術分野】
本発明は、電話網及びパケット網経由のリアルタイムファクシミリ通信を行う、ゲートウェイ装置及びその制御方法に関する。
【手続補正４】
【補正対象書類名】明細書
【補正対象項目名】００２０
【補正方法】変更
【補正の内容】
【００２０】
本発明は係る事情に鑑みてなされたものであり、前記ファクシミリ装置と前記相手端末装置との間で設定される通信速度でのリアルタイムネットワークファクシミリ通信を実現するために前記パケット網において必要とされるネットワーク帯域として十分なネットワーク帯域を、ルータへのネットワーク帯域予約により、確保することができるゲートウェイ装置及びその制御方法を提供することを目的とする。
【手続補正５】
【補正対象書類名】明細書
【補正対象項目名】００２１
【補正方法】変更
【補正の内容】
【００２１】
【課題を解決するための手段】
請求項１に記載のゲートウェイ装置は、パケット網及び電話網に接続され、前記パケット網上の相手端末装置と前記電話網上のファクシミリ装置との間のリアルタイムファクシミリ通信を可能とするゲートウェイ装置であって、着信側の前記ファクシミリ装置から前記電話網を介して受信したファクシミリ制御信号内の通信速度能力に相当する必要ネットワーク帯域が、前記パケット網内のルータにより確保された確保ネットワーク帯域より広い場合には、前記ファクシミリ制御信号内の通信速度能力を、前記確保ネットワーク帯域に相当する通信速度以下に書き換えた上でパケット化して前記パケット網上の相手端末装置に送信する通信速度／ネットワーク帯域調節手段を備えることを特徴とする。
【手続補正６】
【補正対象書類名】明細書
【補正対象項目名】００２２
【補正方法】変更
【補正の内容】
【００２２】
請求項２に記載のゲートウェイ装置は、パケット網及び電話網に接続され、前記パケット網上の相手端末装置と前記電話網上のファクシミリ装置との間のリアルタイムファクシミリ通信を可能とするゲートウェイ装置であって、着信側の前記相手端末装置から前記パケット網を介して受信したファクシミリ制御信号内の通信速度能力に相当する必要ネットワーク帯域が、前記パケット網内のルータにより確保された確保ネットワーク帯域より広い場合には、前記ファクシミリ制御信号内の通信速度能力を、前記確保ネットワーク帯域に相当する通信速度以下に書き換えた上でモデム信号化して前記電話網上の発信側の前記ファクシミリ装置に送信する通信速度／ネットワーク帯域調節手段を備えることを特徴とする。
【手続補正７】
【補正対象書類名】明細書
【補正対象項目名】００２３
【補正方法】変更
【補正の内容】
【００２３】
請求項３に記載のゲートウェイ装置は、パケット網及び電話網に接続され、前記パケット網上の相手端末装置と前記電話網上のファクシミリ装置との間のリアルタイムファクシミリ通信を可能とするゲートウェイ装置であって、発信側の前記相手端末装置から前記パケット網を介して受信したファクシミリ制御信号内の設定通信速度に相当する必要ネットワーク帯域が、前記パケット網内のルータにより確保された確保ネットワーク帯域より広い場合には、発信側の前記相手端末装置から前記パケット網を介して受信したモデムトレーニング信号に対して、前記確保ネットワーク帯域に相当する通信速度以下になるまで、前記発信側の相手端末装置に対してダミーのトレーニング失敗信号を送信する通信速度／ネットワーク帯域調節手段を備えることを特徴とする。
【手続補正８】
【補正対象書類名】明細書
【補正対象項目名】００２４
【補正方法】変更
【補正の内容】
【００２４】
請求項４に記載のゲートウェイ装置は、パケット網及び電話網に接続され、前記パケット網上の相手端末装置と前記電話網上のファクシミリ装置との間のリアルタイムファクシミリ通信を可能とするゲートウェイ装置であって、発信側の前記ファクシミリ装置から前記電話網を介して受信したファクシミリ制御信号内の設定通信速度に相当する必要ネットワーク帯域が、前記パケット網内のルータにより確保された確保ネットワーク帯域より広い場合には、発信側の前記ファクシミリ装置から前記電話網を介して受信した所定のモデムトレーニング信号に対して、前記確保ネットワーク帯域に相当する通信速度以下になるまで、前記発信側のファクシミリ装置に対してダミーのトレーニング失敗信号を送信する通信速度／ネットワーク帯域調節手段を備えることを特徴とする。
【手続補正９】
【補正対象書類名】明細書
【補正対象項目名】００２５
【補正方法】変更
【補正の内容】
【００２５】
請求項５に記載のゲートウェイ装置は、請求項１、２、３または４のいずれかに記載のゲートウェイ装置において、前記通信速度／ネットワーク帯域調節手段は、前記ルータに要求して確保する前記確保ネットワーク帯域を、前記相手端末装置と前記ファクシミリ装置との間のリアルタイムファクシミリ通信におけるファクシミリ伝送手順の各フェーズで変更することを特徴とする。
【手続補正１０】
【補正対象書類名】明細書
【補正対象項目名】００２６
【補正方法】変更
【補正の内容】
【００２６】
請求項６に記載のゲートウェイ装置は、請求項３に記載のゲートウェイ装置において、前記通信速度／ネットワーク帯域調節手段は、前記パケット網上の発信側の前記相手端末装置と、前記電話網上の着信側のファクシミリ装置との間のリアルタイムネットワークファクシミリ通信を中継する場合に、前記ルータに要求して確保した前記確保ネットワーク帯域が、ファクシミリ通信に必要な所定の最低限帯域以下の場合には、前記ファクシミリ装置への前記電話網を介した発呼を行わないで通信を中止することを特徴とする。
【手続補正１１】
【補正対象書類名】明細書
【補正対象項目名】００２７
【補正方法】変更
【補正の内容】
【００２７】
請求項７に記載のゲートウェイ装置は、請求項１、２、３または４のいずれかに記載のゲートウェイ装置において、前記通信速度／ネットワーク帯域調節手段は、前記ルータにネットワーク帯域を要求した結果、前記ルータが帯域予約機能を備えていなかった場合、予め記憶登録しておいた帯域情報を前記確保ネットワーク帯域とすることを特徴とする。
【手続補正１２】
【補正対象書類名】明細書
【補正対象項目名】００２８
【補正方法】変更
【補正の内容】
【００２８】
請求項８に記載のゲートウェイ装置の制御方法は、パケット網及び電話網に接続され、前記パケット網上の相手端末装置と前記電話網上のファクシミリ装置との間のリアルタイムファクシミリ通信を可能とするゲートウェイ装置の制御方法であって、発信側の前記相手端末装置から前記パケット網を介して受信したファクシミリ制御信号内の設定通信速度に相当する必要ネットワーク帯域が、前記パケット網内のルータにより確保された確保ネットワーク帯域より広い場合には、発信側の前記相手端末装置から前記パケット網を介して受信したモデムトレーニング信号に対して、前記確保ネットワーク帯域に相当する通信速度以下になるまで、前記発信側の相手端末装置に対してダミーのトレーニング失敗信号を送信する通信速度／ネットワーク帯域調節手順を含むことを特徴とする。
請求項９に記載のゲートウェイ装置の制御方法は、請求項８に記載のゲートウェイ装置の制御方法において、前記通信速度／ネットワーク帯域調節手順は、前記ルータに要求して確保する前記確保ネットワーク帯域を、前記相手端末装置と前記ファクシミリ装置との間のリアルタイムファクシミリ通信におけるファクシミリ伝送手順の各フェーズで変更することを特徴とする。
請求項１０に記載のゲートウェイ装置の制御方法は、請求項８に記載のゲートウェイ装置の制御方法において、前記通信速度／ネットワーク帯域調節手順は、前記パケット網上の発信側の前記相手端末装置と、前記電話網上の着信側のファクシミリ装置との間のリアルタイムネットワークファクシミリ通信を中継する場合に、前記ルータに要求して確保した前記確保ネットワーク帯域が、ファクシミリ通信に必要な所定の最低限帯域以下の場合には、前記ファクシミリ装置への前記電話網を介した発呼を行わないで通信を中止することを特徴とする。
【手続補正１３】
【補正対象書類名】明細書
【補正対象項目名】０２００
【補正方法】変更
【補正の内容】
【０２００】
【発明の効果】
請求項１に係る発明によれば、前記パケット網の残ネットワーク帯域が少ない等の理由で、前記必要ネットワーク帯域よりも、前記パケット網内のルータを介した所定のやりとりにより確保されたネットワーク帯域である前記確保ネットワーク帯域のほうが狭くなってしまうような場合には、着信側の前記ファクシミリ装置から受信したファクシミリ制御信号の通信速度能力を書き換えて、発信側の前記相手端末装置に送信して、前記着信側のファクシミリ装置の通信速度能力を低く見せかけるようにすることにより、前記発信側の相手端末装置（当該相手端末装置がゲートウェイ装置の場合には電話網を介した発信側のファクシミリ装置）が自装置の通信速度能力と着信側からのファクシミリ制御信号により通知された通信速度能力との範囲内で決定・設定する実際の通信速度に相当する前記必要ネットワーク帯域が前記確保ネットワーク帯域以下になるように調節することができ、前記確保ネットワーク帯域が狭い場合でも、通信エラーの発生を防止した正常な通信が可能となる効果が得られる。
【手続補正１４】
【補正対象書類名】明細書
【補正対象項目名】０２０１
【補正方法】変更
【補正の内容】
【０２０１】
請求項２に係る発明によれば、前記パケット網の残ネットワーク帯域が少ない等の理由で、前記必要ネットワーク帯域よりも、前記パケット網内のルータを介した所定のやりとりにより確保されたネットワーク帯域である前記確保ネットワーク帯域のほうが狭くなってしまうような場合には、着信側の前記相手端末装置から受信したファクシミリ制御信号の通信速度能力を書き換えて、発信側の前記ファクシミリ装置に送信して、前記着信側の相手端末装置の通信速度能力を低く見せかけるようにすることにより、前記発信側のファクシミリ装置が自装置の通信速度能力と着信側からのファクシミリ制御信号により通知された通信速度能力との範囲内で決定・設定する実際の通信速度に相当する前記必要ネットワーク帯域が前記確保ネットワーク帯域以下になるように調節することができ、前記確保ネットワーク帯域が狭い場合でも、通信エラーの発生を防止した正常な通信が可能となる効果が得られる。
【手続補正１５】
【補正対象書類名】明細書
【補正対象項目名】０２０２
【補正方法】変更
【補正の内容】
【０２０２】
請求項３に係る発明によれば、前記パケット網の残ネットワーク帯域が少ない等の理由で、前記必要ネットワーク帯域よりも、前記パケット網内のルータを介した所定のやりとりにより確保されたネットワーク帯域である前記確保ネットワーク帯域のほうが狭くなってしまうような場合には、発信側の前記相手端末装置からファクシミリ制御信号で設定された通信速度でのモデムトレーニングが失敗したかのようにみせかけて最終的な設定通信速度に相当する前記必要ネットワーク帯域が前記確保ネットワーク帯域以下になるように調節することができ、前記確保ネットワーク帯域が狭い場合でも、通信エラーの発生を防止した正常な通信が可能となる効果が得られる。また、着信側からのファクシミリ制御信号による通信速度能力ではなく、発信側からのファクシミリ制御信号による設定通信速度により通信速度を調節するようにしているため、前記確保ネットワーク帯域の範囲内でネットワーク帯域の無駄のない最適通信速度に調節することができる利点がある。
【手続補正１６】
【補正対象書類名】明細書
【補正対象項目名】０２０３
【補正方法】変更
【補正の内容】
【０２０３】
請求項４に係る発明によれば、前記パケット網の残ネットワーク帯域が少ない等の理由で、前記必要ネットワーク帯域よりも、前記パケット網内のルータを介した所定のやりとりにより確保されたネットワーク帯域である前記確保ネットワーク帯域のほうが狭くなってしまうような場合には、発信側の前記ファクシミリ装置からファクシミリ制御信号で設定された通信速度でのモデムトレーニングが失敗したかのようにみせかけて最終的な設定通信速度に相当する前記必要ネットワーク帯域が前記確保ネットワーク帯域以下になるように調節することができ、前記確保ネットワーク帯域が狭い場合でも、通信エラーの発生を防止した正常な通信が可能となる効果が得られる。また、着信側からのファクシミリ制御信号による通信速度能力ではなく、発信側からのファクシミリ制御信号による設定通信速度により通信速度を調節するようにしているため、前記確保ネットワーク帯域の範囲内でネットワーク帯域の無駄のない最適通信速度に調節することができる利点がある。
【手続補正１７】
【補正対象書類名】明細書
【補正対象項目名】０２０４
【補正方法】変更
【補正の内容】
【０２０４】
請求項５に係る発明によれば、ファクシミリ通信では通信手順の各フェーズで伝送速度が異なるため、データ転送フェーズで必要なネットワーク帯域を通信開始時から終了時まで占有してしまう必要はないことに鑑みて、一定のネットワーク帯域を確保するのではなく、呼制御フェーズや能力交換フェーズなど、データフェーズ以外の通信手順を行っているときに、ルータに要求するネットワーク帯域を減らすことで、トータルではより少ないネットワーク帯域で通信することが可能になり、より効率的にネットワーク資源を使用することが可能となる効果が得られる。
【手続補正１８】
【補正対象書類名】明細書
【補正対象項目名】０２０５
【補正方法】変更
【補正の内容】
【０２０５】
請求項６に係る発明によれば、ネットワーク環境が劣悪な場合、ファクシミリ通信に必要な最低限の帯域を確保できないことがり、そのようなときに前記電話網上のファクシミリ装置に発呼することは電話代の無駄遣いになってしまうことに鑑みて、ファクシミリ通信がいずれ失敗することが推測できるような場合には前記電話網上のファクシミリ装置に発呼する前に通信を中止するようにしたため、無駄な電話代を節約することが可能となる効果が得られる。
【手続補正１９】
【補正対象書類名】明細書
【補正対象項目名】０２０６
【補正方法】変更
【補正の内容】
【０２０６】
請求項７に係る発明によれば、前記確保ネットワーク帯域を得るためには、前記パケット網上の相手端末装置が帯域予約機能対応でなければならず、また経路途中に介在するルータも帯域予約機能対応でなければならないことに鑑みて、あらかじめ確保すべきネットワーク帯域についての情報を自装置において記憶登録しておくことで、ファクシミリ通信に割り当てるネットワーク帯域を本発明に係るゲートウェイ装置自身が管理することができ、前記パケット網上の相手端末装置やルータが帯域予約機能に対応していない場合でも、ファクシミリ通信に必要な帯域を制限することが可能となる効果が得られる。
【手続補正２０】
【補正対象書類名】明細書
【補正対象項目名】０２０７
【補正方法】変更
【補正の内容】
【０２０７】
請求項８に係る発明によれば、前記パケット網の残ネットワーク帯域が少ない等の理由で、前記必要ネットワーク帯域よりも、前記パケット網内のルータを介した所定のやりとりにより確保されたネットワーク帯域である前記確保ネットワーク帯域のほうが狭くなってしまうような場合には、発信側の前記相手端末装置からファクシミリ制御信号で設定された通信速度でのモデムトレーニングが失敗したかのようにみせかけて最終的な設定通信速度に相当する前記必要ネットワーク帯域が前記確保ネットワーク帯域以下になるように調節することができ、前記確保ネットワーク帯域が狭い場合でも、通信エラーの発生を防止した正常な通信が可能となる効果が得られる。また、着信側からのファクシミリ制御信号による通信速度能力ではなく、発信側からのファクシミリ制御信号による設定通信速度により通信速度を調節するようにしているため、前記確保ネットワーク帯域の範囲内でネットワーク帯域の無駄のない最適通信速度に調節することができる利点がある。
請求項９に係る発明によれば、ファクシミリ通信では通信手順の各フェーズで伝送速度が異なるため、データ転送フェーズで必要なネットワーク帯域を通信開始時から終了時まで占有してしまう必要はないことに鑑みて、一定のネットワーク帯域を確保するのではなく、呼制御フェーズや能力交換フェーズなど、データフェーズ以外の通信手順を行っているときに、ルータに要求するネットワーク帯域を減らすことで、トータルではより少ないネットワーク帯域で通信することが可能になり、より効率的にネットワーク資源を使用することが可能となる効果が得られる。
請求項１０に係る発明によれば、ネットワーク環境が劣悪な場合、ファクシミリ通信に必要な最低限の帯域を確保できないことがり、そのようなときに前記電話網上のファクシミリ装置に発呼することは電話代の無駄遣いになってしまうことに鑑みて、ファクシミリ通信がいずれ失敗することが推測できるような場合には前記電話網上のファクシミリ装置に発呼する前に通信を中止するようにしたため、無駄な電話代を節約することが可能となる効果が得られる。